(57)【要約】      （修正有）【課題】プラグが未挿入のときに自動的に電源切断状態となる安全ソケットを提供する。【解決手段】安全ソケット１００は、ハウジング、第一導電片２１、第二導電片２２、導電構造を備え、ハウジングには少なくとも２個の挿入孔３１を開設し、挿入孔３１には対応するプラグを挿入する。第一導電片２１と第二導電片２２は、ハウジング内に相対して設置され、導電構造はハウジング内に設置され、第一転換片２４、第二転換片２５、第一絶縁ブロック２６１、第二絶縁ブロック２６２を備え、第一転換片２４は第一動触導片２４１、第一連接部２４２、第一導電触片２４３を備え、第二転換片２５は第二動触導片２５１、第二連接部２５２、第二導電触片２５３を備え、第一絶縁ブロック２６１は第一動触導片２４１を押し、第一導電片２１と接触させ、第二絶縁ブロック２６２は第二動触導片２５１を押し、第二導電片２２と接触させる。【選択図】図１
0003162633.tif 000002
【実用新案登録請求の範囲】
【請求項１】
ハウジング、第一導電片、第二導電片、導電構造を備え、
前記ハウジングには、少なくとも２個の挿入孔を開設し、前記挿入孔には、対応するプラグを挿入することができ、
前記第一導電片と前記第二導電片は、前記ハウジング内に相対して設置され、
前記導電構造は、前記ハウジング内に設置され、前記導電構造は、第一転換片、第二転換片、第一絶縁ブロック、第二絶縁ブロックを備え、
前記第一転換片は、第一動触導片、第一連接部、第一導電触片を備え、前記第二転換片は、第二動触導片、第二連接部、第二導電触片を備え、前記第一絶縁ブロックと前記第二導電触片との間、及び前記第二絶縁ブロックと前記第一導電触片との間は、前記ハウジングの挿入孔にそれぞれ対応し、
前記第一絶縁ブロックは、前記第一動触導片を押し、前記第一導電片と接触させ、前記第二絶縁ブロックは、前記第二動触導片を押し、前記第二導電片と接触させることを特徴とする安全ソケット。
【請求項２】
前記第一絶縁ブロックは、前記第一動触導片と前記第二導電触片との間に位置し、しかも前記第一動触導片、前記第一絶縁ブロック、前記第二導電触片とは、しっかりと一体に密着し、
前記第二絶縁ブロックは、前記第二動触導片と前記第一導電触片との間に位置し、しかも前記第二動触導片、前記第二絶縁ブロック、前記第一導電触片とは、しっかりと一体に密着することを特徴とする請求項１に記載の安全ソケット。
【請求項３】
前記ハウジングは、下ハウジングと上ハウジングを備え、
前記下ハウジングと前記上ハウジングとは、相互に対応し、
前記上ハウジングには、前記少なくとも２個の挿入孔を開設することを特徴とする請求項１に記載の安全ソケット。
【請求項４】
前記安全ソケットはさらに、前記ハウジング内に設置する第三導電片を備え、
前記第一導電片と前記第二導電片は、前記対応するプラグのライン或いはニュートラルと相互に連接し、前記第三導電片は、前記対応するプラグのアースと相互に連接し、
しかも前記第一導電片、前記第二導電片、前記第三導電片は、おおよそ三角形状を呈して、前記下ハウジング上に固定されることを特徴とする請求項３に記載の安全ソケット。
【請求項５】
前記下ハウジング上には、２個の阻害隔絶ブロック、複数のガード板を設置し、前記下ハウジング上にはさらに、２個の固定栓、２個の導引槽を設置し、前記第一転換片の第一連接部と前記第二転換片の第二連接部とは、前記各導引槽内にそれぞれ収容され、
前記第一導電片は、第一接触端を備え、前記第二導電片は、第二接触端を備え、前記第三導電片は、第三接触端を備え、前記第一接触端、前記第二接触端、前記第三接触端は、前記下ハウジングのガード板側壁上にそれぞれ接触し、
前記第一動触導片は、可動式に前記第一導電片の第一接触端と相互に接触し、前記第二動触導片は、可動式に前記第二導電片の第二接触端と相互に接触し、
前記第一転換片と前記第二転換片は、前記各阻害隔絶ブロック外側に設置し、しかも相互に接触せず、前記第一導電触片と前記第二導電触片とは、前記阻害隔絶ブロックの側壁上にそれぞれ接触し、
前記第一動触導片一端は、屈折して第一フック部を形成し、前記第二動触導片一端は、屈折して第二フック部を形成し、
前記導電構造はさらに、第一復位バネ、第二復位バネを備え、
前記第一復位バネ一端は、前記固定栓上に被せて設置し、他端は、前記第一動触導片の第一フック部上に被せて設置し、
前記第二復位バネ一端は、前記別の固定栓上に被せて設置し、他端は、前記第二動触導片の第二フック部上に被せて設置し、
前記ハウジングにはさらに、挿入孔を設置し、前記第三導電片の第三接触端は、前記挿入孔に対応することを特徴とする請求項４に記載の安全ソケット。
【考案の詳細な説明】
【技術分野】
【０００１】
本考案はソケットに関し、特にプラグを未挿入の時には、挿入孔は電源切断状態となる安全ソケットに関する。
【背景技術】
【０００２】
安全ソケットは、日常生活において極めて幅広く応用されている。
しかし、従来の安全ソケットは、プラグが未挿入の状況下においても、通電状態になっているため、使用者の安全を守るためには十分でない。
【０００３】
また、安全ソケットの中には、使用者が誤って挿入孔内に指を差し込まないよう、挿入孔位置に、ガード板を設置するものもある。
しかし、このタイプの安全ソケットは、挿入時に力が必要で、しかも子供はガード板を開けることができるため、指を差し込んで感電事故に至る可能性もあり、使用者の安全を守りきれていない。
本考案は、従来の安全ソケットの上記した欠点に鑑みてなされたものである。
【考案の概要】
【考案が解決しようとする課題】
【０００４】
本考案が解決しようとする課題は、プラグを未挿入の状況下では、自動的に電源切断状態となる安全ソケットを提供することである。
【課題を解決するための手段】
【０００５】
上記課題を解決するため、本考案は下記の安全ソケットを提供する。
安全ソケットは、ハウジング、第一導電片、第二導電片、導電構造を備え、
該ハウジングには、少なくとも２個の挿入孔を開設し、該挿入孔には、対応するプラグを挿入することができ、
該第一導電片と該第二導電片は、該ハウジング内に相対して設置され、
該導電構造は、第一転換片、第二転換片、第一絶縁ブロック、第二絶縁ブロックを備え、該第一転換片は、第一動触導片、第一連接部、第一導電触片を備え、該第二転換片は、第二動触導片、第二連接部、第二導電触片を備え、該第一絶縁ブロックと該第二導電触片との間、及び該第二絶縁ブロックと該第一導電触片との間は、該ハウジングの挿入孔にそれぞれ対応し、
該第一絶縁ブロックは、該第一動触導片を押し、該第一導電片と接触させ、該第二絶縁ブロックは、該第二動触導片を押し、該第二導電片と接触させる。
【考案の効果】
【０００６】
本考案安全ソケットは、導電構造の第一動触導片により、可動式に第一導電片と相互に接触し、第二動触導片により、可動式に第二導電片と相互に接触することで、安全ソケットにプラグが挿入されていれば、挿入孔は通電状態となるが、プラグが未挿入であれば、自動的に電源は切断され、こうして使用者の安全を確実に守ることができる。
【図面の簡単な説明】
【０００７】
【図１】本考案安全ソケット一実施例の立体分解図である。
【図２】本考案安全ソケットにおいて、図１中の上ハウジングを取り除いた後の立体組合せ図である。
【図３】図１中の上ハウジングを取り除いた後の図である図２において、本考案安全ソケットの作動の様子を示す立体組合せ図である。
【考案を実施するための形態】
【０００８】
以下に図面を参照しながら本考案を実施するための最良の形態について詳細に説明する。
【０００９】
本考案安全ソケット１００の一実施例である図１、２に示すように、本考案安全ソケット１００は、ハウジング、第一導電片２１、第二導電片２２、第三導電片２３、導電構造、複数のボルト２９１、複数の固定板２９２を備える。
【００１０】
ハウジングは、下ハウジング１と上ハウジング３を備える。
下ハウジング１上には、２個の阻害隔絶ブロック１１、複数(図１に示す実施例では３個)のガード板１２を設置する。
下ハウジング１上にはさらに、２個の固定栓１３、２個の導引槽１４を設置する。
２個の阻害隔絶ブロック１１は相互に対応し、２個の導引槽１４は相互に対応する。
上ハウジング３と下ハウジング１とは、相互に対応して作用する。
上ハウジング３上には、３個の挿入孔３１を開設する。
挿入孔３１には、対応するプラグ(図示なし)を挿入して接続することができる。
【００１１】
第一導電片２１は第一接触端２１１を備え、第二導電片２２は第二接触端２２１を備え、第三導電片２３は第三接触端２３１を備える。
第一接触端２１１、第二接触端２２１、第三接触端２３１は、下ハウジング１のガード板１２側壁上にそれぞれ接触する。
第一絶縁ブロック２６１と第二導電触片２５３との間は、上ハウジング３の挿入孔に対応する。
第二絶縁ブロック２６２と第一導電触片２４３との間は、上ハウジング３の別の挿入孔に対応する。
第三導電片２３の第三接触端２３１は、別の挿入孔３１に対応する。
第一導電片２１と第二導電片２２は、プラグのニュートラル、或いはラインと相互に連接し、第三導電片２３は、プラグのアースと相互に連接する。
また本実施例中では、第一導片２１、第二導片２２、第三導片２３は、それぞれボルト２９１と固定板２９２により、おおよそ三角形状を呈して、下ハウジング１上に固定される。
【００１２】
導電構造は、第一導電片２１と第二導電片２２との間に設置する。
導電構造は、第一転換片２４、第二転換片２５、第一絶縁ブロック２６１、第二絶縁ブロック２６２、第一復位バネ２７、第二復位バネ２８を備える。
第一転換片２４は、第一動触導片２４１、第一動触導片２４１一端から屈折、延伸して形成する第一連接部２４２、第一連接部２４２末端から屈折、延伸して形成する第一導電触片２４３、第一動触導片２４１他端から屈折して形成する第一フック部２４４を備える。
第二転換片２５は、第二動触導片２５１、第二動触導片２５１一端から屈折、延伸して形成する第二連接部２５２、第二連接部２５２末端から屈折、延伸して形成する第二導電触片２５３、第二動触導片２５１他端から屈折して形成する第二フック部２５４を備える。
第一連接部２４２と第二連接部２５２とは、下ハウジング１の導引槽１４内にそれぞれ収容される。
第一転換片２４と第二転換片２５とは、阻害隔絶ブロック１１外側に相対して設置し、しかも相互に接触しない。
第一導電触片２４３と第二導電触片２５３とは、阻害隔絶ブロック１１の側壁上にそれぞれ接触する。
【００１３】
第一絶縁ブロック２６１は、第一動触導片２４１と第二導電触片２５３との間に位置し、しかも第一動触導片２４１、第一絶縁ブロック２６１、第二導電触片２５３は、しっかりと一体に密着する。
第二絶縁ブロック２６２は、第二動触導片２５１と第一導電触片２４３との間に位置し、しかも第二動触導片２５１、第二絶縁ブロック２６２、第一導電触片２４３は、しっかりと一体に密着する。
プラグは、上ハウジング３の挿入孔３１を通って、第一絶縁ブロック２６１と第二導電触片２５３との間、及び第二絶縁ブロック２６２と第一導電触片２４３との間に挿入される。
これにより、第一絶縁ブロック２６１は、第一動触導片２４１を押し、第一導電片２１と相互に接触させ、第二絶縁ブロック２６２は、第二動触導片２５１を押し、第二導電片２２と相互に接触させる。
【００１４】
第一復位バネ２７一端は、下ハウジング１の固定栓１３上に被せて設置し、他端は、第一動触導片２４１の第一フック部２４４上に被せて設置する。
第二復位バネ２８一端は、別の固定栓１３上に被せて設置し、他端は、第二動触導片２５１の第二フック部２５４上に被せて設置する。
【００１５】
図１、３に示すように、本考案安全ソケット１００において、対応するプラグ(図示なし)を、上ハウジング３の挿入孔３１に挿入すると、プラグのニュートラルとラインの２つの接触端子(図示なし)は、第一絶縁ブロック２６１と第二絶縁ブロック２６２を圧迫する。
これにより、第一絶縁ブロック２６１は、左側へと移動し、第一動触導片２４１と第一導電片２１の第一接触端２１１とが、相互に接触するまで、第一転換片２４の第一動触導片２４１を押し、左へと移動させる。
同時に、第二絶縁ブロック２６２は、右側へと移動し、第二動触導片２５１と第二導電片２２の第二接触端２２１とが、相互に接触するまで、第二転換片２５の第二動触導片２５１を押し、右へと移動させる。
こうして、回路は通電する。
プラグを抜いた後(図２参照)は、第一転換片２４、第二転換片２５、第一復位バネ２７、第二復位バネ２８の回復力の作用により、第一動触導片２４１と第一導電片２１の第一接触端２１１とは離れ、第二動触導片２５１と第二導電片２２の第二接触端２２１とは離れ、挿入孔３１は、電源切断状態となる。
挿入孔３１のライン、或いはニュートラルのどちらか片方に挿入された場合には、挿入された挿入孔３１は、電源切断状態となり、これにより使用者の安全を確実に守ることができる。
【００１６】
上記したように本考案安全ソケット１００は、導電構造の第一動触導片２４１により、可動式に第一導電片２１と相互に接触し、第二動触導片２５１により、可動式に第二導電片２２と相互に接触することで、安全ソケット１００にプラグが挿入されていれば、挿入孔３１は通電状態となるが、プラグが未挿入であれば、自動的に電源は切断される。
しかも、挿入孔３１のライン、或いはニュートラルのどちらか片方に挿入された場合には、挿入された挿入孔３１は、電源切断状態となり、これにより使用者の安全を確実に守ることができる。
【００１７】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１８】
本考案は実用新案の要件である新規性を備え、従来の同類製品に比べ十分な進歩を有し、実用性が高く、社会のニーズに合致しており、産業上の利用価値は非常に大きい。
【符号の説明】
【００１９】
１００  安全ソケット
１  下ハウジング
１１  阻害隔絶ブロック
１２  ガード板
１３  固定栓
１４  導引槽
２１  第一導電片
２１１  第一接触端
２２  第二導電片
２２１  第二接触端
２３  第三導電片
２３１  第三接触端
２４  第一転換片
２４１  第一動触導片
２４２  第一連接部
２４３  第一導電触片
２４４  第一フック部
２５  第二転換片
２５１  第二動触導片
２５２  第二連接部
２５３  第二導電触片
２５４  第二フック部
２６１  第一絶縁ブロック
２６２  第二絶縁ブロック
２７  第一復位バネ
２８  第二復位バネ
２９１  ボルト
２９２  固定板
３  上ハウジング
３１  挿入孔
【図１】
0003162633.tif 000003
【図２】
0003162633.tif 000004
【図３】
0003162633.tif 000005